(57)【要約】  チェーン、特にシャーシキャリアまたは物品の搬送のための搬送チェーンであって、外リンクプレート（１）と内リンクプレート（２）との組と、外リンクプレート（１）と内リンクプレート（２）との組を互いに結合するボルト（３）とを有し、外リンクプレート（１）および／または内リンクプレート（２）は、少なくとも部分的に合成樹脂からなる。
2010540380.tif 000002
【特許請求の範囲】
【請求項１】
チェーン、特にシャーシキャリアまたは物品の搬送のための搬送チェーンであって、
外リンクプレート（１）と内リンクプレート（２）との組と、
外リンクプレート（１）と内リンクプレート（２）との組を互いに結合するボルト（３）と、
を有し、
外リンクプレート（１）および／または内リンクプレート（２）は、少なくとも部分的に合成樹脂からなることを特徴とするチェーン。
【請求項２】
チェーンは複数のローラ（４）を有し、該ローラ（４）は、各ボルト（３）またはボルト（３）のいくつかの上に設けられ、外リンクプレート（１）および／または内リンクプレート（２）よりも少なくとも一方側において突出していることを特徴とする請求項１に記載のチェーン。
【請求項３】
チェーンはブッシュを有し、該ブッシュは、それぞれボルト（３）上に配設されることを特徴とする請求項１または２に記載のチェーン。
【請求項４】
ローラ（４）は合成樹脂または金属、特に鋼から成ることを特徴とする請求項２または３に記載のチェーン。
【請求項５】
ボルト（３）は合成樹脂または金属、特に鋼から成ることを特徴とする請求項１〜４のいずれか１項に記載のチェーン。
【請求項６】
ブッシュは合成樹脂または金属、特に鋼から成ることを特徴とする請求項３〜５のいずれか１項に記載のチェーン。
【請求項７】
外リンクプレート（１）および／または内リンクプレート（２）は、ボルト（３）上に可動に設けられていることを特徴とする請求項３〜６のいずれか１項に記載のチェーン。
【請求項８】
チェーンは複数のローラ（４）を有し、該ローラ（４）は、外リンクプレート（１）および／または内リンクプレート（２）よりも、少なくとも一方側において突出し、チェーンはブッシュを有さず、特に、ジョイントブッシュを有さず、ローラ（４）は、各ボルト（３）上またはボルト（３）のいくつかの上に設けられることを特徴とする請求項１〜７のいずれか１項に記載の、または請求項１の上位概念に従ったチェーン。
【請求項９】
外リンクプレート（１）および／または内リンクプレート（２）は合成樹脂または金属、特に鋼から成ることを特徴とする請求項８に記載のチェーン。
【請求項１０】
ローラ（３）は合成樹脂または金属、特に鋼から成ることを特徴とする請求項８または９に記載のチェーン。
【請求項１１】
ボルト（３）は合成樹脂または金属、特に鋼から成ることを特徴とする請求項８〜１０のいずれか１項に記載のチェーン。
【請求項１２】
外リンクプレート（１）または内リンクプレート（２）は、ボルト（３）上に固定されることを特徴とする請求項８〜１１のいずれか１項に記載のチェーン。
【請求項１３】
外リンクプレート（１）および／または内リンクプレート（２）は、ボルト（３）上に可動に設けられることを特徴とする請求項８〜１２のいずれか１項に記載のチェーン。
【請求項１４】
内リンクプレート（２）間のボルト（３）は、外リンクプレート（１）および／または内リンクプレート（２）の領域におけるよりも大きな直径を有することを特徴とする請求項１〜１３のいずれか１項に記載のチェーン。
【請求項１５】
内リンクプレート（２）間のボルト（３）は、外リンクプレート（１）および／または内リンクプレート（２）の領域と同じ直径を有することを特徴とする請求項１〜１３のいずれか１項に記載のチェーン。
【請求項１６】
ローラ（４）の内側には、スライドベアリング（２０）が設けられ、特に、金属または非金属、好ましくは合成樹脂から成るスライドベアリング、または少なくともピンブッシュもしくは少なくともボールベアリングが設けられることを特徴とする請求項１〜１５のいずれか１項に記載のチェーン。
【請求項１７】
外リンクプレート（１）および／または内リンクプレート（２）は直角に曲がって形成され、特に外リンクプレート（１）と内リンクプレート（２）とは同一に形成することができることを特徴とする請求項１〜１６のいずれか１項に記載のチェーン。
【請求項１８】
チェーンは潤滑剤不要に、および／または保守不要に形成されることを特徴とする請求項１〜１７のいずれか１項に記載のチェーン。
【請求項１９】
外リンクプレート（１）および／または内リンクプレート（２）は合成樹脂から成り、側部のスライド要素、特に、スライドレールを不要とすることができることを特徴とする請求項１〜１８のいずれか１項に記載のチェーン。
【請求項２０】
チェーンは、ボルト（３）上に組込まれたロックリング（１９）を有し、外リンクプレート（１）および／または内リンクプレート（２）は簡単に組立て、および／または分解が可能であることを特徴とする請求項１〜１９のいずれか１項に記載のチェーン。
【請求項２１】
外リンクプレート（１）および／または内リンクプレート（２）の合成樹脂は、適切な摺動特性を有することを特徴とする請求項１〜２０のいずれか１項に記載のチェーン。
【請求項２２】
外リンクプレート（１）および／または内リンクプレート（２）の合成樹脂は、ポリオキシメチレン（ＰＯＭ）またはポリエチレンテレフタレート（ＰＥＴ）であることを特徴とする請求項１〜２１のいずれか１項に記載のチェーン。
【請求項２３】
チェーンは、ローラチェーンとして形成され、その場合、特にボルト（３）は、外リンクプレート（１）および／または内リンクプレート（２）内に偏心されて設けられることを特徴とする請求項１〜２２のいずれか１項に記載のチェーン。
【請求項２４】
チェーンは、ガレチェーンまたはブッシュチェーンとして形成されることを特徴とする請求項１〜２３のいずれか１項に記載のチェーン。
【発明の詳細な説明】
【技術分野】
【０００１】
本発明は、チェーン、特に、請求項１の上位概念に従った、シャーシキャリアまたは物品を搬送するためのコンベヤチェーンに関する。
【背景技術】
【０００２】
前述の技術のチェーンは、たとえば、ＥＰ１６４５５２８Ａ１から知られる。そこに記載のチェーンは、対象物を搬送するために利用することが可能であるローラチェーンである。かかるチェーンはボルト上に設けられたブッシュを有し、ブッシュ上にまたローラが配設されている。外リンクプレートおよび内リンクプレートは、ボルト、ブッシュおよびローラのように金属から成る。このようなチェーンを用いて、たとえば、自動車工業におけるシャーシキャリア（スキッド）などの重量物を運搬するべきときには、チェーンとシャーシキャリアとが、またはチェーン同士、シャーシキャリア同志が強く摩損し合うことになる。さらにまた、チェーンの外側には、スライド溝におけるチェーンの摩耗を低減させるために、スライドレールが設けられている。さらに、通常、ボルトおよび／またはブッシュは、外および／または内リンクプレートに押し付けられ、したがって、各リンクプレートの組立てまたは分解は、かなりの費用を伴うものとなる。
【発明の概要】
【０００３】
本発明の基礎となる課題は、摩耗が少なく、ならびに／または簡単におよび／もしくは費用において有利に構成される、冒頭に挙げたタイプのチェーンを作製することである。
【０００４】
これは、本発明に従えば、請求項１または８の特徴を有する、冒頭で挙げたタイプのチェーンによって達成される。下位の請求項は本発明の好ましい実施形態に関する。
【０００５】
請求項１に従えば、外リンクプレートおよび／または内リンクプレートは、少なくとも部分的に合成樹脂から成る。かかる形態によって、チェーンは軽量化され、コスト的にも好ましいものとなる。さらにまた、チェーンを合成樹脂にすることによって、チェーンまたはシャーシキャリアにおける摩耗が少なくなる。利用される合成樹脂のタイプに応じて、これは、側面のスライド要素において特にスリップ機能を放棄することが可能であるようなスリップ特性を示す。また、少なくとも部分的に合成樹脂からなる外リンクプレートおよび／または内リンクプレートが軽量であるので、組立てまたは分解が容易となる。
【０００６】
さらにまた、外リンクプレートおよび／または内リンクプレートはボルト上に可動に設けられ、チェーンはボルト上に設けることが可能なロックリングを有し、したがって、外リンクプレートおよび／または内リンクプレートを容易に組立ておよび／または分解可能となる。
【０００７】
請求項８に従えば、チェーンは、複数のローラを有し、これら複数のローラは、外リンクプレートおよび／または内リンクプレートよりも少なくとも一方側においては突出しており、チェーンはブッシュを有さず、特に、ジョイントブッシュを有さず、ローラは、各ボルト上またはボルトのいくつかの上に設けられる。技術水準から知られるローラチェーンの場合に用いられるブッシュが不要であることによって、チェーンの重量と製造コストが低下する。
【０００８】
かかるチェーンの場合、外リンクプレートおよび／または内リンクプレートは、特に合成樹脂、またはたとえば鋼などの金属から成るものであってもよい。
【０００９】
さらにまた、外リンクプレートおよび／または内リンクプレートは直角に曲がって形成されてもよく、特に、外リンクプレートおよび内リンクプレートは同一に形成されてもよい。こうすることによって、チェーンの安定性が高められ、さらに、チェーンの厚みが、互いに結合された状態において横方向に低下される。外リンクプレートと内リンクプレートが互いに部分的に重なるからである。同一に形成された外リンクプレートと内リンクプレートの場合、さらに製造コストを低下させることができる。
【００１０】
さらにまた、ローラの内側にはスライドベアリング、特に、金属または非金属、好ましくは合成樹脂から成るスライドベアリングが設けられ、または、少なくとも１つのピンブッシュまたはボールベアリングを設けてもよい。これによって、考慮されていないブッシュの場合であっても、ローラの回転が保証される。
【００１１】
好ましくは、チェーンは潤滑剤不要に、および／または保守不要に形成される。また、これは、外リンクプレートおよび／または内リンクプレートの合成樹脂の適切な特性によって達成することができる。
【図面の簡単な説明】
【００１２】
【図１】発明に従ったチェーンの側面図である。
【図２】図１に従ったチェーンの平面図である。
【図３】図１に従ったチェーンの正面図である。
【図４】図１に従ったチェーンの一部が切断された斜視図である。
【図５】図１に従ったチェーンのボルトについての斜視図である。
【図６】図１に従ったチェーンの外リンクプレートの前面斜視図である。
【図７】図６に従った外リンクプレートの背面斜視図である。
【図８】図１に従ったチェーンの内リンクプレートの前面斜視図である。
【図９】図８に従った内リンクプレートの背面斜視図である。
【発明を実施するための形態】
【００１３】
本発明のさらなる特徴と利点は、添付の図を参照した好ましい実施実施の形態についての以下の説明によって明らかになるであろう。
【００１４】
図１〜図４に示される、本発明に従ったチェーンの実施の形態は、外リンクプレート１と、内リンクプレート２と、それぞれ、２つの外リンクプレート１と２つの内リンクプレート２とを貫通して突出するボルト３（図３参照）と、ボルト３上に設けられるローラ４とを有する。この場合、ローラ４は、使用位置においては外リンクプレート１および内リンクプレート２よりも突出している（これについては特に、図１および図３を参照）。チェーンの長手方向においては、または図１および図２においては左から右において、チェーンのそれぞれの側で外リンクプレート１は内リンクプレート２と交互に配列されている。この場合ボルト３はチェーンの両側のそれぞれの側で、外リンクプレート１を内リンクプレート２に結合している。同時に各ボルト３は、たとえば図３におけるチェーン左側を、図３におけるチェーン右側と結合している。
【００１５】
外リンクプレート１と内リンクプレート２とは、特に、合成樹脂から成るものとすることができる。高い耐摩耗性と高い摺動性とに関して特に良好な特性を有する合成樹脂としては、ポリオキシメチレン（ＰＯＭ）またはポリエチレンテレフタレート（ＰＥＴ）が挙げられる。しかしながら、他の合成樹脂を用いることも可能である。さらにまた、少なくとも部分的に金属から成る外リンクプレート１と内リンクプレート２とであってもよい。
【００１６】
図６〜図９から詳細に示される外リンクプレート１と内リンクプレート２とは、それぞれ２つの貫通孔５，６，７，８を有し、ボルト３は、かかる貫通孔５，６，７，８を通過して延びることが可能である。外リンクプレート１と内リンクプレート２とは直角に曲がって形成され、したがって、貫通孔５，６，７，８を取り囲む結合領域９，１０，１１，１２は、外リンクプレート１および内リンクプレート２の中央部分１３，１４より後退している。これによって外リンクプレート１と内リンクプレート２とは、横方向に互いに結合された状態において比較的場所をとらない。互いに部分的に重なるからである。これは図２の平面図から見て取れる。
【００１７】
図示された実施の形態の場合、外リンクプレート１は内リンクプレート２とは異なって形成されている。しかしながら、外リンクプレート１内リンクプレート２とは全く同じに形成されてもよく、したがって、一面において一つの射出成形金型の利用で済むために製造コストが低く、他方、収容コストも低下する。
【００１８】
外リンクプレート１も内リンクプレート２も複数の穴１５を有し、これらが軽量化に寄与している。
【００１９】
貫通孔５，６，７，８は、使用状態における垂直方向に関して、外リンクプレート１および内リンクプレート２に偏心して設けられ、したがって、ボルト３上に配設されるローラ４は、上方ではなく、下方に外リンクプレート１と内リンクプレート２とを越えて突出している（図１および図３参照）。
【００２０】
図から明らかなボルト３は、たとえば鋼などの金属から成るものであってもよく、また合成樹脂から成るものであってもよい。ボルト３は、中央部１６とそれに続く２つの外方部１７とを有する。中央部１６は、外方部１７よりも大きな外径を有する。
【００２１】
外方部１７はチェーンが組立てられた状態において、外リンクプレート１および内リンクプレート２の貫通孔５，６，７，８を通過して延びる。この場合、貫通孔５，６，７，８の内径は、外方部１７の外径よりも大きく、したがって、外リンクプレート１と内リンクプレート２とは、ボルト３の外方部１７上に固定されずに配設される。
【００２２】
外方部１７の外縁領域においては、回転溝１８が設けられ（図５参照）、該溝内に、外リンクプレート１と内リンクプレート２とをボルト３上に保持するために、ロックリング１９を組込むことが可能である（図１および図４参照）。
【００２３】
ローラ４は、たとえば鋼などの金属から成るものであってもよく、合成樹脂から成るものであってもよい。ローラ４の内側には、スライドベアリング２０が設けられ（図４参照）、金属または非金属、好ましくは合成樹脂から成るスライドベアリングとして形成することができる。また、ローラ４の内側には、ピンブッシュまたはボールベアリングを設けてもよい。
【００２４】
図示されたチェーンの場合、ローラ４はスライドベアリング２０を介してボルト３上に置かれる。しかしながら、ローラ４とボルト３との間には図示されていないベアリングブッシュを設けることも可能である。その場合、ボルト３の中央部１６の外径は、外方部１７の外径と同じにすることができる。
【図１】
2010540380.tif 000003
【図２】
2010540380.tif 000004
【図３】
2010540380.tif 000005
【図４】
2010540380.tif 000006
【図５】
2010540380.tif 000007
【図６】
2010540380.tif 000008
【図７】
2010540380.tif 000009
【図８】
2010540380.tif 000010
【図９】
2010540380.tif 000011
【国際調査報告】
2010540380.tif 000012
2010540380.tif 000013
2010540380.tif 000014
2010540380.tif 000015
2010540380.tif 000016
2010540380.tif 000017